(57)【要約】【課題】例えばユーザーがある企業の商品紹介ウエッブページをブラウズ中に該企業のカスタマーセンターへ電話をかけたいと思った場合、ユーザーは既又は新規インストールされた通話用アプリケーションの起動のための操作や、発呼先の電話番号を起動した該アプリケーションに入力させる必要がある、と言う課題がある。【解決手段】以上の課題を解決するために、本発明は、端末装置でブラウズするウエッブページにグラフィックボタンを設けて配信し、そのボタンの押下によって通話先アドレスと、ダウンロードによって自動起動される通話用電話アプリケーションとがパッケージングされたファイルを端末装置に提供する電話サーバ装置を提供する。また、グラフィックボタンを有するウエッブページの替わりに、グラフィックボタンを有する電子メールを配信する電子メール配信部を有する電話サーバ装置も提供する。【選択図】図２
2008104138.tif 000002
【特許請求の範囲】
【請求項１】
ＩＰネットワークに接続された発呼端末装置と着信端末装置間でのＩＰ電話サービスを提供するための電話サーバ装置であって、
着信端末装置のＩＰアドレスと、発呼端末装置にてＩＰネットワークを利用して前記ＩＰアドレスで特定される着信端末装置に対して発呼し、通話を可能とするためのアプリケーションプログラムであって、端末装置にダウンロードされるとダウンロード先の端末装置の利用者からの入力を何ら必要とせず直ちに実行可能状態となり前記発呼処理を開始する電話プログラムと、を含むパッケージファイルを保持するパッケージファイル保持部と、
前記パッケージファイル保持部に保持されているパッケージファイルをワンクリックにてダウンロードするためのグラフィックボタンを有するウエッブページを配信するウエッブページ配信部と、
を有する電話サーバ装置。
【請求項２】
前記ウエッブページ配信部に替えて、前記パッケージファイル保持部に保持されているパッケージファイルをワンクリックにてダウンロードするためのグラフィックボタンを有する電子メールを配信する電子メール配信部を有する請求項１に記載の電話サーバ装置。
【請求項３】
前記ウエッブページ配信部は、前記グラフィックボタンを、発呼端末装置のＧＵＩにて前記ダウンロード機能を実現するデータを象徴するメタデータとして取り扱われる形式で記述したウエッブページを配信する請求項１に記載の電話サーバ装置。
【請求項４】
前記電子メール配信部は、前記グラフィックボタンを、発呼端末装置のＧＵＩにて前記ダウンロード機能を実現するデータを象徴するメタデータとして取り扱われる形式で記述した電子メールを配信する請求項２に記載の電話サーバ装置。
【請求項５】
ＩＰネットワークに接続された発呼端末装置と着信端末装置間でのＩＰ電話サービスを提供するためのサーバ制御方法であって、
着信端末装置のＩＰアドレスと、発呼端末装置にてＩＰネットワークを利用して前記ＩＰアドレスで特定される着信端末装置に対して発呼し、通話を可能とするためのアプリケーションプログラムであって、端末装置にダウンロードされるとダウンロード先の端末装置の利用者からの入力を何ら必要とせず直ちに実行可能状態となり前記発呼処理を開始する電話プログラムと、を含むパッケージファイルを保持するために記録するパッケージファイル記録保持ステップと、
前記ステップにて記録され保持されているパッケージファイルをワンクリックにてダウンロードするためのグラフィックボタンを有するウエッブページを配信するウエッブページ配信ステップと、
を計算機に実行させるサーバ制御方法。
【請求項６】
前記ウエッブページ配信ステップに替えて、前記ステップにて記録され保持されているパッケージファイルをワンクリックにてダウンロードするためのグラフィックボタンを有する電子メールを配信する電子メール配信ステップを有する請求項５に記載のサーバ制御方法。
【請求項７】
前記ウエッブページ配信ステップは、前記グラフィックボタンを、発呼端末装置のＧＵＩにて前記ダウンロード機能を実現するデータを象徴するメタデータとして取り扱われる形式で記述したウエッブページを配信する請求項５に記載のサーバ制御方法。
【請求項８】
前記電子メール配信ステップは、前記グラフィックボタンを、発呼端末装置のＧＵＩにて前記ダウンロード機能を実現するデータを象徴するメタデータとして取り扱われる形式で記述した電子メールを配信する請求項６に記載のサーバ制御方法。
【発明の詳細な説明】
【技術分野】
【０００１】
本発明は、ＩＰネットワークに接続された発呼端末装置と着信端末装置間でのＩＰ電話サービスを提供するための技術に関する。
【背景技術】
【０００２】
従来、ＩＰ（インターネット・プロトコル）ネットワークに接続された端末装置間での通話を可能とするＩＰ電話サービスが提供されている。このようなＩＰ電話サービス用の端末装置としては、例えば専用のＩＰ電話機やＩＰ電話対応モデムに接続された電話機の他に、ＩＰ電話アプリケーションを導入し、ヘッドセットなどの通話用機器を接続したＰＣ（パーソナルコンピュータ）などの情報処理端末装置も挙げられる。
【特許文献１】特表２００２−５４４７１５号公報
【発明の開示】
【発明が解決しようとする課題】
【０００３】
ところで情報処理端末装置では通話以外の各種処理が可能であるため、例えばインターネット上のウエッブページなどをブラウザアプリケーションで閲覧することなどもできる。ところが、例えばユーザーがある企業の商品紹介ウエッブページをブラウジング中に該企業のカスタマーセンターへ電話をかけたいと思った場合、以下のような課題が発生する。
【０００４】
すなわち上記場合には、ユーザーは予めＰＣなどに通話用アプリケーションをダウンロードしたり、あるいは通話用アプリケーションを新規にダウンロードしたりして、該ＰＣに電話アプリケーションをインストールする必要がある。
【０００５】
また、そのインストール後に通話のための起動や設定登録、発呼先の電話番号を入力する操作やその他操作などを実行したりする必要もある、という課題がある。
【課題を解決するための手段】
【０００６】
以上の課題を解決するために、本発明は、端末装置でブラウジングするウエッブページにグラフィックボタンを配置したうえで配信し、そのボタンの押下によって通話先電話番号を示すＩＰアドレスと、ダウンロードによって自動起動される通話用電話アプリケーションと、がパッケージングされたファイルを端末装置に送信する電話サーバ装置を提供する。
【０００７】
具体的には、ＩＰネットワークに接続された発呼端末装置と着信端末装置間でのＩＰ電話サービスを提供するための電話サーバ装置であって、着信端末装置のＩＰアドレスと、発呼端末装置にてＩＰネットワークを利用して前記ＩＰアドレスで特定される着信端末装置に対して発呼し、通話を可能とするためのアプリケーションプログラムであって、端末装置にダウンロードされるとダウンロード先の端末装置の利用者からの入力を何ら必要とせず直ちに実行可能状態となり前記発呼処理を開始する電話プログラムと、を含むパッケージファイルを保持するパッケージファイル保持部と、前記パッケージファイル保持部に保持されているパッケージファイルをワンクリックにてダウンロードするためのグラフィックボタンを有するウエッブページを配信するウエッブページ配信部と、を有する電話サーバ装置である。
【０００８】
また、グラフィックボタンを有するウエッブページの替わりに、グラフィックボタンを有する電子メールを配信する電子メール配信部を有する電話サーバ装置も提供する。また、そのグラフィックボタンをダウンロード機能を実現するデータを象徴するメタデータとして取り扱われる形式で記述し、例えばそのウエッブページや電子メール上で配置などを自由に変更可能に構成して配信する電話サーバ装置も提供する。
【０００９】
なお、上記電話サーバ装置は、例えば、パッケージファイル保持部を有する「第一の電話サーバ装置」と、ウエッブページ配信部を有する「第二の電話サーバ装置」や電子メール配信部を有する「第三の電話サーバ装置」と、といった具合に複数のサーバ装置から構成されていても構わない。
【発明の効果】
【００１０】
以上のような構成をとる本発明によって、配信されたウエッブページや電子メールに設けられたグラフィックボタンをワンクリックするだけで、通話先アドレスと、通話用の電話アプリケーションとがパッケージングされたファイルを端末装置に自動的にダウンロードさせることができる。そして、ダウンロードされた電話用アプリケーションは、ダウンロード先の端末装置の利用者からの入力を何ら必要とせず直ちに実行可能状態となり前記発呼処理を開始するため、ユーザーは特別な操作や設定なしに、簡単に通話可能な相手との通話を実現することができる。
【発明を実施するための最良の形態】
【００１１】
以下に、図を用いて本発明の実施の形態を説明する。なお、本発明はこれら実施の形態に何ら限定されるものではなく、その要旨を逸脱しない範囲において、種々なる態様で実施しうる。
【００１２】
なお、実施例１は、主に請求項１、２、５、６について説明する。
【００１３】
また、実施例２は、主に請求項３、４、７、８について説明する。また、実施例３から５において、請求項１から８に記載の本発明の、その他の実施例について説明する。
【００１４】
≪実施例１≫
<概要>
【００１５】
図１は、本実施例の電話サーバ装置によって提供されるＩＰ電話サービスの一例を表す概念図である。この図１（ａ）にあるように、あるユーザーがＰＣ（端末装置）のネットワークブラウジング機能でウエッブページをブラウジングしている。そこでピッツァ会社Ａのウエッブページを閲覧中のユーザーは、該ウエッブページで告知されている新発売ピッツァを注文しようと考えた。
【００１６】
そこで、このウエッブページ上に表示されている「Click&Talk」と書かれたグラフィックボタンをユーザーがワンクリックすると、通話用の電話アプレットとピッツァ会社ＡのＩＰ電話番号がパッケージングされたファイルがこの端末装置に自動的にダウンロードされる。そして図１（ｂ）に示すように電話アプリケーションはダウンロード後ただちに自動実行され、ＩＰ電話番号にしたがって注文担当の電話機を発呼する。
【００１７】
このように、ユーザーはウエッブページ上のグラフィックボタンをワンクリックするだけで、特別な操作や設定登録作業などを必要とせずに、相手先との通話を開始することができる、という具合である。
【００１８】
<機能的構成>
【００１９】
図２は、本実施例の電話サーバ装置における機能的構成の一例を表す図である。この図にあるように、本実施例の「電話サーバ装置」（０２００）は、「パッケージファイル保持部」（０２０１）と、「ウエッブページ配信部」（０２０２）を有する。
【００２０】
なお、以下に記載する本電話サーバ装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。
【００２１】
またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。
【００２２】
また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２３】
「パッケージファイル保持部」（０２０１）は、パッケージファイルを保持する機能を有する。このパッケージファイル保持部は、例えばＨＤＤ（ハードディスクドライブ）や不揮発性メモリ、その他記録媒体などで実現することができる。
【００２４】
「パッケージファイル」とは、着信端末装置のＩＰアドレスと、電話プログラムとを含むファイルをいい、後述のウエッブページ上に表示されるグラフィックボタンの押下（ワンクリック）によってユーザーの端末装置にダウンロードされる構成となっている。なお、着信端末装置のＩＰアドレスは、ＩＰアドレスに関連付けられたＩＰ電話の電話番号なども含まれる。
【００２５】
「電話プログラム」とは、発呼端末装置にてＩＰネットワークを利用して前記ＩＰアドレスで特定される着信端末装置に対して発呼し、通話を可能とするためのアプリケーションプログラムである。また、端末装置にダウンロードされるとダウンロード先の端末装置の利用者からの入力を何ら必要とせず直ちに実行可能状態となり前記発呼処理を開始することを特徴とする。
【００２６】
したがってこの電話プログラムは、例えばアプレットアプリケーションであって、ウエッブページが表示されているブラウザ上にて自動実行することができるよう構成されていると良い。そしてユーザーは、グラフィックボタンのワンクリックによる電話プログラムのダウンロード後に特別な操作などせずとも、電話プログラムとともにダウンロードされたＩＰアドレスで示される通話相手との通話を実現することができる、と言う具合である。
【００２７】
図３は、このパッケージファイル保持部にて保持され、端末装置にダウンロードされるパッケージファイルの一例を表す概念図である。この図にあるように、パッケージファイルは、「電話プログラム」と「通話用プロファイル」から構成されている。そして電話プログラムは、その「ソフト（ファイル）名」や「バージョン情報」、「ソースコード」などの情報を含んでいる。
【００２８】
また、通話用プロファイルには、着信端末装置のＩＰアドレスと関連付けられた「相手先（電話）番号」や、発呼を認証するための「認証サーバのあるアドレス」や、その「認証用ＩＤ」や「認証パスワード」等の情報を含んでいると良い。
【００２９】
そして、後述するウエッブページのグラフィックボタンの押下によって発呼端末装置にダウンロードされ自動実行された電話プログラムは、例えば認証サーバによる発呼認証の後、電話プログラムにパッケージングされダウンロードされた着信端末装置のＩＰアドレスに対して自動的に発呼処理を行う、と言う具合である。
【００３０】
「ウエッブページ配信部」（０２０２）は、パッケージファイル保持部（０２０１）に保持されているパッケージファイルをワンクリックにてダウンロードするためのグラフィックボタンを有するウエッブページを配信する機能を有する。したがって、このウエッブページ配信部は、いわゆるウエッブページサーバ装置の技術を利用して実現することができる。
【００３１】
「グラフィックボタン」とは、ＧＵＩで表示されるクリック可能なグラフィックをいい、上記のように、このグラフィックボタンはワンクリックによってネットワーク上のサーバ装置に保持されている前記パッケージファイルをダウンロードするよう記述されている。また「ワンクリック」とは、グラフィックボタンをマウスやキーボードなどの入力デバイスで一回選択（ボタン画像へのオンカーソルや、オンカーソル後の決定ボタン押下など）することをいう。ただし、ブラウザやＯＳ（オペレーションシステム）などのセキュリティ設定などによって、前記ボタンの一回の選択に加えて、パッケージファイルのダウンロード処理に関してユーザーが承認することを示すクリックが必要な場合などもある。その場合には、グラフィックボタンのクリックとダウンロード認証クリックとを含めてワンクリックとする。
【００３２】
図４は、このウエッブページ配信部から端末装置に配信されるウエッブページの一例を表す図である。この図にあるように、ウエッブページには、「Click&Talk」と書かれたグラフィックボタン（α）が表示されている。ユーザーはブラウザに表示されたこのウエッブページを見て、問い合わせをしたいときには、該グラフィックボタンを押すことで、前記パッケージファイルを端末装置にダウンロードし、ＩＰ電話による問い合わせを行うことができる、という具合である。
【００３３】
図５は、上記ウエッブページ上のグラフィックボタンの押下によるパッケージファイルのダウンロードを実行するためのプログラムの一例を表す図である。この図にあるように、前記グラフィックボタンがワンクリックされると、プログラムに示される「Codebase」に示されるアドレス「http://211.21.99.253/」に対してダウンロードリクエストを送信する。そして、そこからパッケージファイル「icati.jar」や「windowslibs.jar」が端末装置にダウンロードされる、と言う具合である
【００３４】
図６は、端末装置での電話プログラム実行状況を示す画面表示の一例を表す図である。この図にあるように、端末装置上では自動実行された電話プログラムを操作するためのアイコンβやγが表示され、相手との通話コネクションが確立されている場合はアイコンβが点滅表示され、通話を切断するときはアイコンγを押すことで電話プログラムが終了する、といった具合に電話プログラムの操作を行うことができる。
【００３５】
また、前述のようにパッケージファイルに認証用のＩＤやパスワードを含ませることで、グラフィックボタンがクリックされた際に、通話要求の正当性に関し認証処理を実行してから通話処理を行うように構成しても良い。
【００３６】
図７は、この通話要求の正当性に関し認証を行う機能を備え、本実施例の電話サーバ装置にて提供されるＩＰ電話サービスの一例を表す概念図である。この図にあるように、発呼端末装置にてブラウザで表示したウエッブページ上のグラフィックボタンをワンクリックする（１）と、上述のようにしてパッケージファイルが端末装置にダウンロードされる（２）。
【００３７】
ここで、パッケージファイルに含まれる認証プログラムにしたがって、この端末装置は図３に示すデータに含まれる認証サーバアドレスに対してアクセスを実行する（３）。そして、パッケージファイルに含まれる「認証ＩＤ」と「認証パスワード」を認証サーバに対して送信することで、実行される通話が、グラフィックボタンのワンクリックによって実行された正当性を有する通話であることが認証される。
【００３８】
すると、認証サーバ装置から着信端末装置に対して発呼端末装置との通話を行うための発呼処理が実行され（４）、発呼端末装置と着信端末装置との間で通話が実行される（５）、と言う具合である。
【００３９】
あるいは、（３）の認証処理の後は、認証サーバから着信端末装置への発呼処理の替わりに、発呼端末装置への認証通知が実行されても良い。その場合、認証通知を受けた発呼端末装置から、着信端末装置への発呼処理が実行され、通話が実行されると良い。
【００４０】
本実施例の電話サーバ装置にて提供されるＩＰ電話サービスにて上記のような認証システムを導入し、例えば電話プログラムをこの認証システムを介さなければ通話処理を行わないよう構成することで、以下のような効果をうることができる。第一に、類似のグラフィックボタンを利用して悪意の第三者宛への通話を詐欺的に行わせ、個人情報を集めたり架空請求を行ったりなどする犯罪行為を防止することもできる。第二にグラフィックボタンを介さない誤った通話要求のアクセスなどを防ぐこともできる。
【００４１】
また、第三に、認証サーバ装置の介在を必要とすることで、認証サーバ装置を提供する者によるこのＩＰ電話サービスの顧客囲い込みを行うこともできる。
【００４２】
<ハードウェア的構成>
【００４３】
図８は、上記機能的な各構成要件をハードウェアとして実現した際の、電話サーバ装置における構成の一例を表す概略図である。この図を利用してＩＰ電話サービスにおけるそれぞれのハードウェア構成部の働きについて説明する。この図にあるように、電話サーバ装置は、各種演算処理を行う「ＣＰＵ（中央演算装置）」（０８０１）と、「主メモリ」（０８０２）と、を備えている。またパッケージファイル保持部である「ＨＤＤ」（０８０３）や、ウエッブページ配信部である「Ｉ／Ｏ（インプット／アウトプット）」（０８０４）、も備えている。そしてそれらが「システムバス」などのデータ通信経路によって相互に接続され、情報の送受信や処理を行う。
【００４４】
また、「主メモリ」は、各種処理を行うプログラムをＣＰＵに実行させるために読み出すと同時にそのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。
【００４５】
ここで、発呼者の端末装置となるＰＣから、ネットワーク網を介し「ＨＤＤ」内のアドレス２に格納されている「グラフィックボタン付Ｗｅｂページ」に対するアクセス（ＨＴＰリクエスト）を「Ｉ／Ｏ」にて受信し、「主メモリ」のアドレス１に格納する。すると、そのアクセスに応じて、ＰＣに対してグラフィックボタン付のＷｅｂページを送信する。
【００４６】
すると、ＰＣでは、ブラウザの処理によって受信した「グラフィックボタン付Ｗｅｂページ」が表示画面に表示される。そして、ユーザーがこのグラフィックボタンによって通話できる相手との電話通話を望み、ウエッブページ上のグラフィックボタンをワンクリックすると、グラフィックボタンに定義された図５に示すようなダウンロードプログラムが実行される。
【００４７】
端末装置では、ダウンロードプログラムが実行されることによって、パッケージファイルのダウンロードを開始する。ここではパッケージファイルもこの電話サーバ装置のＨＤＤ内のアドレス２に格納されているので、グラフィックボタンに定義されているプログラムにて示されるそのアドレスに対して端末装置からのアクセスが実行される。そして、そのアクセス（ダウンロードリクエスト）を「Ｉ／Ｏ」にて受信し、「主メモリ」のアドレス２に格納する。すると端末装置に対してパッケージファイルが「Ｉ／Ｏ」からネットワーク網を介して送信される。
【００４８】
送信されたパッケージファイルを受信した端末装置では、そのパッケージファイルに含まれる例えばアプレット形式（ブラウザなどの他のプログラム内で実行可能な小型プログラムをいう）の電話プログラムが自動実行される。そして、場合によっては通話の正当性の認証処理が認証サーバによって実行された後、パッケージファイルに含まれる着信端末装置のＩＰアドレスにしたがって、発呼処理が実行される。
【００４９】
このようにして、ウエッブページに設けられたグラフィックボタンをワンクリックするだけで、特別な操作や設定登録などを必要とせずに発呼端末装置と着信端末装置との間で通話を実現することができる。
【００５０】
なお、上記記載では「パッケージファイル保持部」と「ウエッブページ配信部」とが同一のサーバ装置によって実現される態様に付いて記載したが、「パッケージファイル保持部」と「ウエッブページ配信部」とは別個のサーバ装置によって実現されるよう構成しても良い。
【００５１】
<処理の流れ>
【００５２】
図９は、本実施例の電話サーバ装置における処理の流れの一例を表すフローチャートである。なお、以下に示すステップは、媒体に記録され計算機を制御するためのプログラムを構成する処理ステップであっても構わない。この図にあるように、まず、着信端末装置のＩＰアドレスと、電話プログラムと、を含むパッケージファイルを保持するために記録する（ステップＳ０９０１）。
【００５３】
その後、発呼端末装置からのアクセスを受け付けると、その発呼端末装置に対してグラフィックボタンを有するウエッブページを配信する（ステップＳ０９０２）。
【００５４】
そして、発呼端末装置にて前記グラフィックボタンがワンクリックされると、発呼端末装置に対してパッケージファイルを送信する（ステップＳ０９０３）。そしてそのパッケージファイルが端末装置にダウンロードされるとダウンロード先の端末装置の利用者からの入力を何ら必要とせず直ちに実行可能状態となり前記発呼処理を開始される、と言う具合である。
【００５５】
<効果の簡単な説明>
【００５６】
以上のように、本実施例の電話サーバ装置によって、ウエッブページ上に設けられたグラフィックボタンをワンクリックするだけで、パッケージファイルをダウンロードさせることができる。そしてそのパッケージファイルには、着信端末装置のＩＰアドレスと、端末装置にダウンロードされるとダウンロード先の端末装置の利用者からの入力を何ら必要とせず直ちに実行可能状態となり発呼処理を開始する電話プログラムとが含まれているため、ユーザーは特別な操作や設定登録などをしなくとも、簡単に相手との通話を行うことができる。
【００５７】
≪実施例１のその他の例≫
<概要>
【００５８】
また本実施例において、そのグラフィックボタンは、上記ウエッブページ以外に電子メールに設けられ、同様にワンクリックによって着信端末装置のＩＰアドレスと電話プログラムをダウンロードするよう構成しても良い。
【００５９】
図１０は、このグラフィックボタンを有する電子メールの一例を表す概念図である。この図にあるように、この電子メールには、「Click&Talk」と書かれたグラフィックボタンαが表示されるよう差出人によって設定されている。
【００６０】
そして受信者は、この差出人と通話したいときには、このメールのグラフィックボタンαをワンクリックする。すると、上記ウエッブページのグラフィックボタンと同様にパッケージファイルがダウンロードされて、そのＩＰアドレスで示される通話相手と通話することができる、と言う具合である。
【００６１】
なお、上記例は友人間のメールを例に挙げ説明したが、企業の広告、告知メールなどに、「問い合わせください」などのコメントとともに該グラフィックボタンを設け送信しても良い。それによって企業から顧客へのメールによる告知でも、顧客から企業への電話による注文や問い合わせ等の連絡を容易に行わせることができるようになる。したがって企業メールを有力な営業ツールとすることができる。
【００６２】
<機能的構成>
【００６３】
図１１は、本実施例のその他の例での電話サーバ装置における機能的構成の一例を表す図である。この図にあるように、本実施例の「電話サーバ装置」（１１００）は、上記構成と同様に「パッケージファイル保持部」（１１０１）を有する。そして上記構成における「ウエッブページ配信部」に替えて「電子メール配信部」（１１０２）を有する。
【００６４】
なお、「パッケージファイル保持部」については、すでに記載済みであるのでその説明は省略する。
【００６５】
「電子メール配信部」（１１０２）は、パッケージファイル保持部（１１０１）に保持されているパッケージファイルをワンクリックにてダウンロードするためのグラフィックボタンを有する電子メールを配信する機能を有する。なお、ここでは、電話サーバ装置に電子メール配信部を備えている構成要件について説明するが、もちろん、この電子メール配信部は、電話サーバ装置とは別個の、通常の電子メールサーバ装置によって実現されても構わない。
【００６６】
この電子メール配信部では、ユーザーが自身の端末装置から送信した、例えばメタデータで記述されたグラフィックボタンを有する電子メールを受信し、その宛先アドレスに対して送信する、という具合でグラフィックボタンを有する電子メールを配信する。
【００６７】
また、ユーザーによる電子メールへのグラフィックボタンの付加は、例えばサービス提供者が配布するメタデータで記述されたグラフィックボタンのプログラムを取得し、自身の端末装置のＩＰ電話の電話番号を登録するなどする。そしてそのグラフィックボタンを電子メールにドラッグ&ドロップなどで挿入することで付加する方法が挙げられる。
【００６８】
<処理の流れ>
【００６９】
図１２は、本実施例のその他の例での電話サーバ装置における処理の流れの一例を表すフローチャートである。なお、以下に示すステップは、媒体に記録され計算機を制御するためのプログラムを構成する処理ステップであっても構わない。この図にあるように、まず、着信端末装置のＩＰアドレスと、電話プログラムと、を含むパッケージファイルを保持するために記録する（ステップＳ１２０１）。
【００７０】
その後、着信端末装置からグラフィックボタンを有する電子メールが送信されると、電話サーバ装置はその電子メールを受信する。そしてその受信したグラフィックボタンを有する電子メールを配信する（ステップＳ１２０２）。
【００７１】
そして、その電子メールを受信した発呼端末装置にて前記グラフィックボタンがワンクリックされると、発呼端末装置に対してパッケージファイルを送信する（ステップＳ１２０３）。そしてそのパッケージファイルが端末装置にダウンロードされるとダウンロード先の端末装置の利用者からの入力を何ら必要とせず直ちに実行可能状態となり前記発呼処理を開始される、と言う具合である。
【００７２】
<効果の簡単な説明>
【００７３】
以上のように、本実施例のそのその他の例の電話サーバ装置によっても、同様に、ウエッブページ上に設けられたグラフィックボタンをワンクリックするだけで、パッケージファイルをダウンロードさせることができ、ユーザーは特別な操作や設定登録などをしなくとも、簡単に相手との通話を行うことができる。
【００７４】
なお、本実施例はグラフィックボタンをウエッブページや電子メールにて配信したが、それ以外にも、例えばインスタント・メッセンジャーやその他ネットワーク上のリソースなどにグラフィックボタンを付加し配信することで、ワンクリックでパッケージファイルをダウンロードさせるよう構成しても良い。
【００７５】
≪実施例２≫
<概要>
【００７６】
本実施例は、実施例１を基本として、そのグラフィックボタンが、パッケージファイルのダウンロード機能を実現するためのメタデータとして取り扱われる形式で記述されている点を特徴とする。したがって、このグラフィックボタンは、例えばドロップ&ドラッグやコピーなどの移動処理によって別の領域に移動されたとしても、その移動先でダウンロード機能を実現することができる。
【００７７】
図１３は、ウエッブページ上でのグラフィックボタンの移動処理の一例を表す概念図である。この図にあるように、あるウエッブページの領域α１に配置されている「Click&Talk」と書かれたグラフィックボタンを、α２の領域にドロップ&ドラッグすることができる。そして、グラフィックボタンは、前記ダウンロード機能を実現するためのメタデータとして取り扱われる形式で記述されているため、このようなシンボル（ボタンの画像データ）の移動によっても、その移動先でダウンロード機能を実現することができる。また、サーバ側でウエッブページ管理者が、ウエッブページのＨＴＭＬを書き換えることなく該グラフィックボタンの配置を変更することも可能となる。したがってウエッブページ管理者の手間をかけずに通話サービス機能をウエッブページに付与することが出来る。
【００７８】
もちろん、このような同一ページ内でのグラフィックボタンの移動処理のほか、別のウエッブページへの移動処理等でも同様の効果を上げることができる。また通話グラフィックボタンの配信サーバ装置にこのようなグラフィックボタンを取得可能に保持しておくことで、ユーザーが必要に応じて取得したグラフィックボタンをウエッブページに配置する、なども可能となる。
【００７９】
<機能的構成>
【００８０】
図１４は、本実施例の電話サーバ装置における機能ブロックの一例を表す図である。この図にあるように、本実施例の「電話サーバ装置」（１４００）は、実施例１を基本として、「パッケージファイル保持部」（１４０１）と、「ウエッブページ配信部」（１４０２）を有する。なお、これら「パッケージファイル保持部」は、上記実施例にて既に記載済みであるのでその説明は省略する。
【００８１】
そして、本実施例の特徴点は、「ウエッブページ配信部」（１４０２）が、前記グラフィックボタンを、発呼端末装置のＧＵＩにて前記ダウンロード機能を実現するデータを象徴するメタデータとして取り扱われる形式で記述したウエッブページ（１４０２Ｐ）を配信する点である。
【００８２】
「メタデータ」とは、記述される情報の意味を表すデータをいい、ここでは、グラフィックボタンという画像情報が、「パッケージファイルのダウンロード機能を実現する」という意味を表すデータとして取り扱われるよう記述されていることを示す。具体的には、パッケージファイルのダウンロード元を示すアドレスや、ボタン画像のクリックによってそのアドレスに対してダウンロードリクエストを送信するためのプログラムファイルがグラフィックボタンの画像データと常に関連付けられるよう記述する方法などが挙げられる。
【００８３】
したがって、このグラフィックボタンを同一ウエッブページ内や複数のウエッブページ間で移動処理させても、その移動先で前記ダウンロード機能を実現するグラフィックボタンとすることができる。また、通話グラフィックボタンの配信サーバ装置に保持されているグラフィックボタンを、必要に応じてユーザーがウエッブページ内に配置する、など移動処理を行うこともできる。
【００８４】
<処理の流れ>
【００８５】
図１５は、本実施例の電話サーバ装置における処理の流れの一例を表すフローチャートである。なお、以下に示すステップは、媒体に記録され計算機を制御するためのプログラムを構成する処理ステップであっても構わない。この図にあるように、まず、着信端末装置のＩＰアドレスと、電話プログラムと、を含むパッケージファイルを保持するために記録する（ステップＳ１５０１）。
【００８６】
その後、発呼端末装置からのアクセスを受け付けると、その発呼端末装置に対して、ダウンロード機能を実現するためのメタデータとして取り扱われる形式で記述されたグラフィックボタンを有するウエッブページを配信する（ステップＳ１５０２）。
【００８７】
そして、発呼端末装置にて前記グラフィックボタンがワンクリックされると、発呼端末装置に対してパッケージファイルを送信する（ステップＳ１５０３）。そしてそのパッケージファイルが端末装置にダウンロードされるとダウンロード先の端末装置の利用者からの入力を何ら必要とせず直ちに実行可能状態となり前記発呼処理を開始される、と言う具合である。
【００８８】
また、前記グラフィックボタンはＧＵＩにて前記ダウンロード機能を実現するデータを象徴するメタデータとして取り扱われる形式で記述されているので、例えば発呼端末装置上で、ウエッブページ内のグラフィックボタンを移動させるなどの処理を実行することもできる。
【００８９】
<効果の簡単な説明>
【００９０】
以上のように、本実施例の電話サーバ装置によって、発呼端末装置のＧＵＩ上にて、パッケージファイルのダウンロード機能を実現したままグラフィックボタンの移動処理などを行うことができる。したがって、同一ウエッブページ上で好きな配置位置にカスタマイズしたり、ユーザーが必要に応じてボタン配信サーバ装置からグラフィックボタンを自由に取得し配置したりする、などのサービスを提供することもできる。
【００９１】
≪実施例２のその他の例≫
<概要>
【００９２】
また、本実施例において、そのグラフィックボタンは、上記ウエッブページ以外に電子メールに設けられ、同様にパッケージファイルのダウンロード機能を実現するためのメタデータとして取り扱われる形式で記述されるよう構成しても良い。
【００９３】
<機能的構成>
【００９４】
図１６は、本実施例のその他の例での電話サーバ装置における機能的構成の一例を表す図である。この図にあるように、本実施例の「電話サーバ装置」（１６００）は、上記実施例１のその他の例と同様に「パッケージファイル保持部」（１６０１）を有し、また「ウエッブページ配信部」に替えて「電子メール配信部」（１６０２）を有する。
【００９５】
なお、「パッケージファイル保持部」については、すでに記載済みであるのでその説明は省略する。
【００９６】
そして、本実施例のその他の例の特徴点は、「電子メール配信部」（１６０２）が、前記グラフィックボタンを、発呼端末装置のＧＵＩにて前記ダウンロード機能を実現するデータを象徴するメタデータとして取り扱われる形式で記述した電子メール（１６０２Ｍ）を配信する点である。
【００９７】
したがって、本実施例のその他の例でも、上記実施例同様に、グラフィックボタンを同一メール内や複数のメール間で移動処理させても、その移動先で前記ダウンロード機能を実現するグラフィックボタンとすることができる。また、通話グラフィックボタンの配信サーバ装置に保持されているグラフィックボタンを、必要に応じてユーザーが電子メール内に配置する、など移動処理を行うこともできる。
【００９８】
図１７は、このようなメタデータとして記述されたグラフィックボタンの移動処理の一例を表す概念図である。この図にあるように、あるピッツァショップのウエッブページ上のグラフィックボタンα１を電子メールにドラッグアンドドロップすることで移動させることができる。そして、このグラフィックボタンは、前記ダウンロード機能を実現するデータを象徴するメタデータとして取り扱われる形式で記述されているので、電子メールを受信した相手も、この電子メールのグラフィックボタンα２を押すことで、このピッツァショップの注文受付担当の電話機へと自動的に発呼することができる。
【００９９】
<処理の流れ>
【０１００】
図１８は、本実施例のその他の例での電話サーバ装置における処理の流れの一例を表すフローチャートである。なお、以下に示すステップは、媒体に記録され計算機を制御するためのプログラムを構成する処理ステップであっても構わない。この図にあるように、まず、着信端末装置のＩＰアドレスと、電話プログラムと、を含むパッケージファイルを保持するために記録する（ステップＳ１８０１）。
【０１０１】
その後、着信端末装置から、ダウンロード機能を実現するためのメタデータとして取り扱われる形式で記述されたグラフィックボタンを有する電子メールが送信されると、電話サーバ装置はその電子メールを受信する。そしてその受信したグラフィックボタンを有する電子メールを配信する（ステップＳ１８０２）。
【０１０２】
そして、その電子メールを受信した発呼端末装置にて前記グラフィックボタンがワンクリックされると、発呼端末装置に対してパッケージファイルを送信する（ステップＳ１８０３）。そしてそのパッケージファイルが端末装置にダウンロードされるとダウンロード先の端末装置の利用者からの入力を何ら必要とせず直ちに実行可能状態となり前記発呼処理を開始される、と言う具合である。
【０１０３】
また、前記グラフィックボタンはＧＵＩにて前記ダウンロード機能を実現するデータを象徴するメタデータとして取り扱われる形式で記述されているので、例えば発呼端末装置上で、電子メール内のグラフィックボタンを移動させるなどの処理を実行することもできる。
【０１０４】
<効果の簡単な説明>
【０１０５】
以上のように、本実施例のそのその他の例の電話サーバ装置によっても、同様に、発呼端末装置のＧＵＩ上にて、パッケージファイルのダウンロード機能を実現したままグラフィックボタンの移動処理などを行うことができる。
【０１０６】
≪実施例３≫
<概要>
【０１０７】
本発明の電話サーバ装置は上記実施例を基本とし、さらにグラフィックボタンのワンクリックによってダウンロードされる通話用のパッケージファイルとして、動画像送信用アプリケーションを含むファイルを提供する機能を備えていても良い。
【０１０８】
それによってユーザーはウエッブページ上などのグラフィックボタンをワンクリックするだけで、所定の相手との通話を画像を見ながら行うことができる。
【０１０９】
図１９は、このような電話サーバ装置を利用した画像を見ながらの通話の一例を表す概念図である。この図にあるように、例えば（１）事故や災害などの救急医療が必要な事態が発生する。そのとき、現場にいる人が消防署のホームページにアクセスし、携帯端末の画面上のグラフィックボタンをワンクリックする。すると図示しない本実施例の電話サーバ装置から動画像送信用アプリケーションを含むパッケージファイルが携帯端末にダウンロードされ、まず消防署との通話が可能となる。
【０１１０】
そこで、現場にいる人が消防署に救急車の出動要請をすると、消防署は救急車を現場へ急行させるとともに、その救急車内の救急隊員が所持する着信者端末に現場の人からの着信を転送する。（２）それによって現場の人は救急車が現場に到着するまで救急車内の救急隊員と画像を見ながら通話することができる。このように救急隊員の顔を見ることができ、また救急車の状況を画像で知ることができるので、現場の人は救急車がいつ到着するのか分からないなどの不安を多少なりと解消することができる。
【０１１１】
そして、救急隊員が現場に到着すると、怪我人への応急手当や救急車への収容などの救護活動を行い、病院へと搬送する。また、そのとき救急隊員は自身の端末装置で近隣病院のホームページにアクセスし、そこに表示されたグラフィックボタンを押下する。すると電話サーバ装置から動画像送信用アプリケーションを含む近隣病院との通話用パッケージファイルが救急隊員の端末にダウンロードされる。
【０１１２】
（３）そこで、救急隊員は、その病院の救急医に対して病状の説明などをするとともに、怪我人の画像を端末付属のカメラなどで撮影し、病院の救急医の端末に送信する。
【０１１３】
図２０は、その際の救急車の救急隊員の端末と病院の救急医の端末の表示画面の一例を表す図である。この図にあるように、本実施例のシステムにおいては画像の送受信も可能であるので、救急医は、病院にいながら端末に映し出された怪我人の状況を見ることができる。それによって対象者の症状などを診断し、通話によって応急処置の指示を出すことができる。
【０１１４】
図２１は、本実施例の電話サーバ装置における機能ブロックの一例を表す図である。この図にあるように、本実施例の「電話サーバ装置」（２１００）では、上記実施例を基本として、「パッケージファイル保持部」（２１０１）と、「ウエッブページ配信部」（２１０２）と、を有する。また、実施例２にて記載したように、「ウエッブページ配信部」に替えて「電子メール」配信部を有していても良い。
【０１１５】
なお、「パッケージファイル保持部」と「ウエッブページ配信部」、あるいは「電子メール配信部」は上記実施例にて記載済みであるのでその説明は省略する。
【０１１６】
そして、本実施例の電話サーバ装置の特徴点は、「パッケージファイル保持部」が、さらに「画像用ファイル保持手段」（２１０３）を有する点である。
【０１１７】
「画像用ファイル保持手段」（２１０３）は、動画像を送受信するためのアプリケーションを含むパッケージファイルを保持する機能を有する。「動画像を送受信するためのアプリケーション」は、例えば通話用の音声パケットと動画像パケットを関連付けて送信するためのアプリケーションや、その動画像パケットの圧縮エンコーダを含むアプリケーションなどが挙げられる。また、このアプリケーションによる動画像の送受信はストリーム形式による送受信であっても、それ以外の形式での送受信であっても良い。
【０１１８】
そして、この画像ファイル保持手段にて保持されている動画像を送受信するためのアプリケーションを含むパッケージファイルが、実施例１や２で説明したようにウエッブページなどに表示されているグラフィックボタンをワンクリックした端末に送信される。そしてそれによって端末では画像を見ながら通話を行うことができる、という具合である。
【０１１９】
<処理の流れ>
【０１２０】
図２２は、本実施例の電話サーバ装置における処理の流れの一例を表すフローチャートである。なお、以下に示すステップは、媒体に記録され計算機を制御するためのプログラムを構成する処理ステップであっても構わない。
【０１２１】
まず、上記実施例にて説明したように電話サーバ装置にてパッケージファイルの記録や、発呼端末装置へのグラフィックボタンを有するウエッブページや電子メールなどの配信が実行される（図示は省略）。そして、この図にあるように、発呼端末装置にて前記グラフィックボタンがワンクリックされる（ステップＳ２２０１）と、電話サーバ装置から発呼端末装置に対して動画像を送信するためのアプリケーションを含むパッケージファイルが送信される（ステップＳ２２０２）。
【０１２２】
そしてそのパッケージファイルは端末装置にダウンロードされると、発呼端末装置の利用者からの入力を何ら必要とせず直ちに実行可能状態となり発呼処理が開始される（ステップＳ２２０３）。
【０１２３】
すると着信端末装置にてその発呼が着信され（ステップＳ２２０４）、着信端末装置側にて着信への応答を受け付けると、発呼端末装置と着信端末装置との間で、動画像を見ながらの音声通話が実行される（ステップＳ２２０５Ａ，Ｂ）、という具合である
【０１２４】
<その他の例>
【０１２５】
図２３は、この実施例３における画像を見ながらの通話での、その他の例を説明するための概念図である。この図にあるように、例えば学校、あるいは公園などで、子供が「足が痛い」など体の異常を訴えた。そのような場合、子供自身や先生、あるいは近くにいる大人が携帯端末にて保健所や小児病院のウエッブページにアクセスする。そして、図２４に示すように、その保健所ウエッブページ上のグラフィックボタンのワンクリックによって医師と連絡を取って、前記例と同じように子供の様子の動画像を送信するなどして症状の相談などを行う、という具合である。
【０１２６】
このように医師の画像を見ながら様々な相談をすることができる。また、動画像によって通話できるので、例えば包帯の巻き方や巻く位置、あるいはインスリンの注射方法／位置などを映像で実際の方法や位置を示しながら、医師が相手に分かりやすく教えることもできる。
【０１２７】
そして本実施例においては、パッケージファイルに含まれるＩＰアドレスがデータセンターのＩＰアドレスとなっていることを特徴とする。このように本実施例の電話サーバ装置では、発呼端末装置と着信端末装置との画像を見ながらの通話においてデータセンターを間に介するようパッケージファイルや着信端末装置を設定しても良い。データセンターを介することで、データセンター上で送信画像の拡大縮小、あるいはノイズ除去などの画像補正を行うこともできる。
【０１２８】
<効果の簡単な説明>
【０１２９】
以上のように、本実施例の電話サーバ装置によって、ウエッブページや電子メールなどに表示されるグラフィックボタンをワンクリックするだけで画像を見ながらの通話を行うことができる。
【０１３０】
したがって、例えば事故や災害などの緊急時、あるいは子供の異常に対する小児科的知識など特殊なケースに対し、それに対応した専門家に素早く連絡を取り、画像を見せながら判断を仰いだり、指示を受けたりすることができる。
【０１３１】
≪実施例４≫
<概要>
【０１３２】
図２５は、本実施例の電話サーバ装置による通話の一例を表す概念図である。この図にあるように、発呼端末装置は、本実施例の電話サーバ装置からパッケージファイルを受信することによって、海外の着信端末装置への発呼を行うことができる。あるいはファイアウォールなどを通してＬＡＮ内の着信端末装置への発呼を行うことができる。
【０１３３】
<構成>
【０１３４】
本実施例の電話サーバ装置は、「パッケージファイル保持部」にて保持しているパッケージファイルに、着信端末装置のＩＰアドレスに加え、ファイアウォールなどで着信側が常時受信待ちとして通話用に設定しているポート番号を含み送信するよう構成されていることを特徴とする。
【０１３５】
つまり本発明の電話サーバ装置では、一のグラフィックボタンで一の着信端末装置が発呼される、という具合に、パッケージファイルと着信端末装置とが一対一で関連付けられている。したがって、着信装置側に特有のセキュリティ設定情報などをパッケージファイルに含めて、グラフィックボタンをクリックした発呼端末装置に送信することができる、という具合である。
【０１３６】
<効果の簡単な説明>
【０１３７】
以上のような構成をとることで、発呼端末装置側で特別な設定などしなくても着信側に特有の設定情報を取得することができる。したがって、本実施例の電話サーバ装置を利用して海外の端末装置やＬＡＮ内の端末装置と簡単に通話を行うことができる。
【０１３８】
≪実施例５≫
<概要>
【０１３９】
図２６は、本実施例の電話サーバ装置にて配信されるウエッブページ、あるいは電子メールの表示画面の一例を表す図である。この図にあるように、例えばあるピザショップのウエッブページ上にグラフィックボタンが表示されている。そして、ユーザーがこのグラフィックボタンをワンクリックしてピザの注文をすると、ユーザーに対してポイントがプレゼントされる、という具合である。
もちろん、ピザショップのほかにも、例えば各種医療／診療機関や薬局などのウエッブページ上にてグラフィックボタンをクリックし、相談や診療、投薬をうけることで同種のポイントが加算されるようなサービスを提供しても良い。また、ビデオレンタルなどのフランチャイズ店舗において同種のポイントサービスを実施しても良い。
【０１４０】
このように本実施例の電話サーバ装置では、グラフィックボタンをクリックしたユーザーにポイントを提供するよう構成されている。そして、そのような構成を備えることでユーザーのワンクリックへのインセンティブを高める効果が期待できる。
【０１４１】
<機能的構成>
【０１４２】
図２７は、本実施例の電話サーバ装置の機能ブロックの一例を表す図である。この図にあるように、本実施例の「電話サーバ装置」（２７００）は、上記実施例を基本として、「パッケージファイル保持部」（２７０１）と、「ウエッブページ配信部」（２７０２）と、を有する。なお、これら「パッケージファイル保持部」と「ウエッブページ配信部」は上記実施例にて記載済みであるのでその説明は省略する。
【０１４３】
そして、本実施例の電話サーバ装置は、さらに「ポイント蓄積部」（２７０３）を備えることを特徴とする。
【０１４４】
「ポイント蓄積部」（２７０３）は、発呼端末装置でのグラフィックボタンのワンクリックに応じて、端末識別情報と関連付けてポイントを蓄積する機能を有する。このポイント蓄積部の機能は、例えば以下のようにして実現する方法が挙げられる。例えばパッケージファイルに、グラフィックボタンのワンクリックによって端末のＩＰアドレスや固有製造番号などの端末識別情報を送信するアプリケーションを加えておく。
【０１４５】
それによって、電話サーバ装置にて端末識別情報を取得する。そして、取得した端末識別情報と関連付けてＣＰＵの演算処理などによって所定のポイントを付与し、ＨＤＤなどの記録媒体に蓄積する、といった具合である。
【０１４６】
このようにして、グラフィックボタンのクリックでユーザーにポイントが付与されるので、ユーザーのワンクリックへのインセンティブを高める効果が期待できる。
【０１４７】
なお、本実施例の電話サーバ装置は、ピザショップなどの着信端末装置から注文が成約したか否かを示す成約情報を受信するよう構成されていても良い。それによって、いたずらや不正なグラフィックボタンクリックによるポイント蓄積を防ぐことができる。
【０１４８】
<処理の流れ>
【０１４９】
図２８は、本実施例の電話サーバ装置における処理の流れの一例を表すフローチャートである。なお、以下に示すステップは、媒体に記録され計算機を制御するためのプログラムを構成する処理ステップであっても構わない。この図にあるように、まず、着信端末装置のＩＰアドレスと、電話プログラムと、を含むパッケージファイルを保持するために記録する（ステップＳ２８０１）。
【０１５０】
その後、発呼端末装置にてアクセスが実行される（ステップＳ２８０２）と、そのアクセスに応じて発呼端末装置に対してグラフィックボタンを有するウエッブページ、あるいは電子メールなどを配信する（ステップＳ２８０３）。
【０１５１】
そして、発呼端末装置にて前記グラフィックボタンがワンクリックされる（ステップＳ２８０４）と、そのクリックを示す情報とともに端末識別情報が電話サーバ装置に送信される（ステップＳ２８０５）。
【０１５２】
すると、そのクリックに応じて電話サーバ装置は発呼端末装置に対してパッケージファイルを送信される。そしてそのパッケージファイルは、発呼端末装置にダウンロードされるとダウンロード先の端末装置の利用者からの入力を何ら必要とせず直ちに実行可能状態となり、着信端末装置への発呼処理を開始し（ステップＳ２８０７）、通話が実行される（ステップＳ２８０８）。
【０１５３】
また、電話サーバ装置では、受信した端末識別情報と関連付けてポイントを蓄積する（ステップＳ２８０９）。
【０１５４】
<効果の簡単な説明>
【０１５５】
以上のように、本実施例の電話サーバ装置によって、グラフィックボタンをクリックしたユーザーにポイントが提供される。そして、そのような構成を備えることでユーザーのワンクリックへのインセンティブを高める効果が期待できる。
【図面の簡単な説明】
【０１５６】
【図１】実施例１の電話サーバ装置によって提供されるＩＰ電話サービスの一例を表す概念図
【図２】実施例１の電話サーバ装置における機能ブロックの一例を表す図
【図３】実施例１の電話サーバ装置のパッケージファイル保持部にて保持され、端末装置にダウンロードされるパッケージファイルの一例を表す概念図
【図４】実施例１の電話サーバ装置のウエッブページ配信部から端末装置に配信されるウエッブページの一例を表す図
【図５】実施例１の電話サーバ装置によって配信されるウエッブページ上のグラフィックボタンの押下によるパッケージファイルのダウンロードを実行するためのプログラムの一例を表す図
【図６】実施例１の電話サーバ装置によって配信されるウエッブページ上のグラフィックボタンの押下による端末装置での電話プログラム実行状況を示す画面表示の一例を表す図
【図７】実施例１の電話サーバ装置にて提供されるＩＰ電話サービスの、別の一例を表す概念図
【図８】実施例１の電話サーバ装置におけるハードウェア構成の一例を表す概略図
【図９】実施例１の電話サーバ装置における処理の流れの一例を表すフローチャート
【図１０】実施例１のその他の例の電話サーバ装置によって配信されるグラフィックボタンを有する電子メールの一例を表す概念図
【図１１】実施例１のその他の例の電話サーバ装置における機能ブロックの一例を表す図
【図１２】実施例１のその他の例の電話サーバ装置における処理の流れの一例を表すフローチャート
【図１３】実施例２の電話サーバ装置によって配信されるウエッブページ上のグラフィックボタンの一例を表す概念図
【図１４】実施例２の電話サーバ装置における機能ブロックの一例を表す図
【図１５】実施例２の電話サーバ装置における処理の流れの一例を表すフローチャート
【図１６】実施例２のその他の例の電話サーバ装置における機能ブロックの一例を表す図
【図１７】実施例２のその他の例において、ウエッブページ上のグラフィックボタンを電子メールにドラッグアンドドロップした一例を表す概念図
【図１８】実施例２のその他の例の電話サーバ装置における処理の流れの一例を表すフローチャート
【図１９】実施例３の電話サーバ装置を利用した画像を見ながらの通話の一例を表す概念図
【図２０】実施例３の電話サーバ装置を利用した画像を見ながらの通話における端末の表示画面の一例を表す図
【図２１】実施例３の電話サーバ装置における機能ブロックの一例を表す図
【図２２】実施例３の電話サーバ装置における処理の流れの一例を表すフローチャート
【図２３】実施例３の電話サーバ装置を利用した画像を見ながらの通話の、別の一例を表す概念図
【図２４】実施例３の電話サーバ装置を利用した画像を見ながらの通話の別の例における端末の表示画面の一例を表す図
【図２５】実施例４の電話サーバ装置を利用したＬＡＮ内外での通話の一例を表す概念図
【図２６】実施例５の電話サーバ装置にて配信されるウエッブページなど表示画面の一例を表す図
【図２７】実施例５の電話サーバ装置における機能ブロックの一例を表す図
【図２８】実施例５の電話サーバ装置における処理の流れの一例を表すフローチャート
【符号の説明】
【０１５７】
０２００  電話サーバ装置
０２０１  パッケージファイル保持部
０２０２  ウエッブページ配信部
１１０２  電子メール配信部
【図１】
2008104138.tif 000003
【図２】
2008104138.tif 000004
【図３】
2008104138.tif 000005
【図４】
2008104138.tif 000006
【図５】
2008104138.tif 000007
【図６】
2008104138.tif 000008
【図７】
2008104138.tif 000009
【図８】
2008104138.tif 000010
【図９】
2008104138.tif 000011
【図１０】
2008104138.tif 000012
【図１１】
2008104138.tif 000013
【図１２】
2008104138.tif 000014
【図１３】
2008104138.tif 000015
【図１４】
2008104138.tif 000016
【図１５】
2008104138.tif 000017
【図１６】
2008104138.tif 000018
【図１７】
2008104138.tif 000019
【図１８】
2008104138.tif 000020
【図１９】
2008104138.tif 000021
【図２０】
2008104138.tif 000022
【図２１】
2008104138.tif 000023
【図２２】
2008104138.tif 000024
【図２３】
2008104138.tif 000025
【図２４】
2008104138.tif 000026
【図２５】
2008104138.tif 000027
【図２６】
2008104138.tif 000028
【図２７】
2008104138.tif 000029
【図２８】
2008104138.tif 000030